【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
複数の信者宅あるいは複数の信者宅の仏壇あるいは祭壇あるいはこれらの周辺に設置された情報家電および／あるいは情報端末と、単一あるいは複数の寺社あるいは宗教団体あるいは福祉団体に設置された情報端末および／あるいは情報センタに設置された活動情報サーバと、前記信者の家族および／あるいは関連する複数の個所に設置された情報家電および／あるいは情報端末と、これらをネットワーク化するためのインターネット網から構成され、前記信者が前記情報家電および／あるいは情報端末を操作することにより生成される活動情報を前記活動情報サーバに収集して管理する機能、あるいは前記信者の家族あるいは福祉関係機関あるいは必要な複数個所に設置された情報家電および／あるいは情報端末に対して随時にあるいは要求に応じて発信しあるいは受信する機能、あるいは前記活動情報を取得して発信しあるいは受信する機能、あるいは前記活動情報を処理しあるいは交換・接続しあるいは相互間の通信を行なう機能、あるいはこれらを組合せた機能によって、頑張るお年寄りを励まし見守ることを特徴とする頑張るお年より見守るネットワーク
【請求項２】
複数の介護対象者宅に設置された情報家電および／あるいは情報端末と、単一あるいは複数の寺社あるいは宗教団体あるいは福祉団体に設置された情報端末および／あるいは情報センタに設置された活動情報サーバと、前記介護対象者の家族および／あるいは関連する複数の個所に設置された情報家電および／あるいは情報端末と、これらをネットワーク化するためのインターネット網から構成され、前記介護対象者が前記情報家電および／あるいは情報端末を操作することによって生成される活動情報を前記活動情報サーバに収集して管理する機能、あるいは前記介護対象者の家族あるいは関連する個所に設置された情報家電および／あるいは情報端末に対して随時にあるいは要求に応じて発信しあるいは受信する機能、あるいは前記活動情報を取得して発信しあるいは受信する機能と、前記活動情報を処理しあるいは交換・接続しおよび／あるいは相互の通信を行なう機能、あるいはこれらを組合せた機能によって、頑張るお年寄りを励まし見守ることを特徴とする頑張るお年より見守るネットワーク
【請求項３】
前記情報家電および／あるいは情報端末がインターネット網に接続されるＩＰ電話機あるいはテレビ電話機であり、あるいはタッチパネル式のパソコンであり、あるいは音声で操作するパソコンであり、あるいはこれらの組合せであり、前記情報家電および／あるいは情報端末が有する相互に通信する機能あるいはワンクリックあるいはワンタッチ操作によりコンテンツ情報を発受信する機能、あるいはこれらの組合せによって、前記信者あるいは介護対象者の日々の活動状況あるいは生活反応を検知し、あるいは寺社あるいは宗教団体あるいは福祉団体からの働きかけに対する応答を検知し、あるいは付帯的に行われる活動を検知し、あるいは前記信者あるいは介護対象者からの緊急信号の発信を検知し、あるいはこれらの組合わせによって、頑張るお年寄りを励まし見守ることを特徴とする請求項第１項から第２項までのいずれかに該当する頑張るお年より見守るネットワーク
【請求項４】
前記情報家電および／あるいは情報端末がインターネット網に接続される検知手段であり、前記検知手段が前記信者宅あるいは介護対象者宅の家電設備の起動と停止あるいは操作を検知して前記活動情報とすることを特徴とする請求項第１項から第３項までのいずれかに該当する頑張るお年より見守るネットワーク
【請求項５】
前記情報家電および／あるいは情報端末が前記信者あるいは介護対象者の生活状況を検出するための緊急発信手段および／あるいは複数のセンサを含み、前記緊急発信手段および／あるいは複数のセンサから取得した活動情報をバケツリレによって無線親局に伝送して収集し、前記無線親局において前記活動情報を前記インターネット網に向けて直接発信し、あるいは前記情報端末が有するパソコン機能あるいはモデム機能あるいは回線接続制御機能あるいはこれらの組合せを介して発信することを特徴とする請求項第１項から第４項までのいずれかに該当する頑張るお年より見守るネットワーク
【請求項６】
前記テレビ電話機のカメラ部分を仏壇あるいは祭壇に対向して設置し、あるいは仏壇あるいは祭壇の比較的に上部から下方に向けて設置し、あるいは生活用品が視野に入りにくいように設置することを特徴とする請求項第１項から第５項までのいずれかに該当する頑張るお年より見守るネットワーク
【請求項７】
前記緊急発信手段および／あるいはセンサが前記信者あるいは介護対象者の居る場所を高精度で検知することを特徴とする請求項第１項から第６項までのいずれかに該当する頑張るお年より見守るネットワーク
【請求項８】
前記信者宅あるいは介護対象者宅に設置される情報家電および／あるいは情報端末の操作表示パネルがワンクリックあるいはワンタッチ操作が可能なタッチパネル式であり、および／あるいはメニュにより選択的に操作できる構成であり、および／あるいは高齢者が容易に操作できる構成・構造であることを特徴とする請求項第１項から第７項までのいずれかに該当する頑張るお年より見守るネットワーク
【請求項９】
前記信者宅あるいは介護対象者宅に設置される情報家電および／あるいは情報端末によって取得し表示できるメニュ情報および／あるいはコンテンツ情報が、高齢者あるいは独居老人あるいはがんばるお年寄りを対象とするものであり、かつ厳密なセキュリテイ管理のもとで、前記信者宅あるいは介護対象者宅の情報端末、あるいは寺社あるいは宗教団体あるいは福祉団体の情報端末、あるいは情報センタのサーバ、あるいはこれら内から選択された組合せに対して、手動による操作あるいはメモリ手段の交換あるいはアップロードおよび／あるいはダウンロードによって、定期的あるいは不定期的あるいは日常的に更新されることを特徴とする請求項第１項から第８項までのいずれかに該当する頑張るお年より見守るネットワーク 
【手続補正２】
【補正対象書類名】明細書
【補正対象項目名】全文
【補正方法】変更
【補正の内容】
【発明の詳細な説明】
【発明の名称】頑張るお年より見守るネットワーク
【技術分野】
【０００１】  この発明は、独居老人などの頑張るお年寄りを、旧知の寺社あるいは宗教団体あるいは福祉団体等の関係者を中心にして、見守り励ますためのネットワークと、前記ネットワークを管理し運用するためのビジネスモデルに関するものである。
【背景技術】
【０００２】  従来から、電子仏壇あるいは高齢者の見守りに関連するシステムが提案されている。（例えば、特許文献１〜９）【特許文献１】特許第３５３９７５４号
【特許文献２】特開２００３−３１７１６５号
【特許文献３】特開２００４−１４５８７５号
【特許文献４】特開２００４−１４４３１０号
【特許文献５】特開２００４−２７２５６８号
【特許文献６】特開２００４−２８７７７０号
【特許文献７】特開２００４−３１３４６１号
【特許文献８】特開２００５−１９６８１２号
【特許文献９】特開２００６−０８５３９０号
【０００３】  従来の電子仏壇を含むネットワークに関する技術として特許文献１に記載されている「故人を祀る装置」があり、図５に示すように、１は電子仏壇、２は大容量記憶装置、３は公衆通信回線、４はユーザが檀家として登録しているお寺、５は給食サービスセンタ、６は保険・福祉センタ、７は家族、８は訪問看護センタ、９は救急医療サービスセンタ、１０は編集サービス業者である。【０００４】  電子仏壇１、大容量記憶装置２、お寺４、給食サービスセンタ５、保険・福祉センタ６、家族７、訪問看護センタ８、救急医療サービスセンタ９、編集サービス業者１０は公衆通信回線３を通じて接続されている。  お寺４あるいは編集サービス業者１０からは、少なくとも日取りと予定された内容を含むスケジュール情報が前記大容量記憶装置２に公衆回線を通じてあらかじめダウンロードされており、ユーザは電子仏壇１に設けられた表示装置により、前記スケジュール情報を表示させあるいは応答あるいは要求することができる。【０００５】  従来の技術では、例えば、ユーザが独居老人などのがんばるお年寄りの場合に、お寺から送られる朝のお勤めなどを拝聴する様子を通じて生活状況を観察しあるいは把握することによって、前記がんばるお年寄り個人個人の活動情報を取得して、温かく見守り励ますことが訴求されていない問題点がある。【０００６】  一方、特許文献２に記載されている従来の「生活見守りシステム」では、赤外線センサなどの人感センサを用いて高齢者の在宅を検知しインターネットを通じて見守るシステムであるが、前記高齢者に優しい方法で個人個人の活動情報を取得し、温かく見守り励ますことが訴求されていない問題点がある。【０００７】  また、特許文献３に記載されている従来の「多数の見守りからの情報を送受信し処理する方法およびそれを実施するための装置」では、多数のセンサ等からの情報を加工処理し、インターネットを通じて高齢者を見守るシステムであるが、前記高齢者に優しい方法で個人個人の活動情報を取得し、温かく見守り励ますことが訴求されていない問題点がある。【０００８】  また、特許文献４に記載されている従来の「健康状態監視システム」では、生体情報検出のためのセンサは、無浸襲・無拘束・無意識状態で監視対象者の生態情報並びに存在情報を親局側からモニタすることで高齢者・独居老人の健康監視・睡眠状態監視・見守りを可能とするとしているが、前記高齢者に優しい方法で個人個人の活動情報を取得し、温かく見守り励ますことが訴求されていない問題点がある。【０００９】  また、特許文献５に記載されている従来の「生活見守りシステム」では、高齢者などの見守り対象者の生活状況を自然に見守ることのできる生活見守りシステムを提供するとしているが、前記高齢者に優しい方法で個人個人の活動情報を取得し、温かく見守り励ますことが訴求されていない問題点がある。【００１０】  また、特許文献６に記載されている従来の「生活見守りシステム」では、高齢者などの見守り対象者宅で発生する異常を各高齢者の生活状況に合わせて検出し、サービス利用者に通知することのできる生活見守りシステムを提供するとしているが、前記高齢者に優しい方法で個人個人の活動情報を取得し、温かく見守り励ますことが訴求されていない問題点がある。【００１１】  また、特許文献７に記載されている従来の「在宅者健康状態遠隔見守り方法および装置」では、一人住まいの高齢者の健康状態を高齢者の子供などの見守り者が随時把握することができる在宅者健康状態遠隔見守り方法および装置を提供するとされているが、前記高齢者に優しい方法で個人個人の活動情報を取得し、温かく見守り励ますことが訴求されていない問題点がある。【００１２】  また、特許文献８に記載されている従来の「生活見守りシステムおよび方法」では、被監視者の健康状態、居住環境、安全等をさりげなく見守るシステムが必要であるとしているが、前記被監視者に優しい方法で個人個人の活動情報を取得し、温かく見守り励ますことが訴求されていない問題点がある。【００１３】  また、特許文献９に記載されている従来の「固定型通信端末、携帯型通信端末、情報集約・蓄積サーバおよび見守り専用端末」では、遠隔地にいる人同士の円滑なコミュニケーションを促すことができ、人間関係の維持・構築と利用者のＱｏＬ向上に貢献することができる固定型通信端末等を提供するとしているが、前記遠隔地にいる人に優しい方法で個人個人の活動情報を取得し、温かく見守り励ますことが訴求されていない問題点がある。
【発明の開示】
【発明が解決しようとする課題】
【００１４】  本発明は、近年社会全体の高齢化が進み益々増えつづける独居老人等の頑張るお年寄りを、例えば、お寺から送られる朝のお勤めなどを拝聴する様子を通じて生活状況を観察しあるいは把握することによって、前記お年寄りを温かく見守り励ますためのサービスを提供するためになされた。
【課題を解決するための手段】
【００１５】  この発明に係わるネットワークは、複数の信者宅内、あるいは複数の信者宅の仏壇あるいは祭壇内、あるいは仏壇あるいは祭壇の前面あるいは仏壇あるいは祭壇の近辺、あるいはこれらを組み合わせた場所に設置された情報端末と、単一あるいは複数の寺社内に設置された情報端末と、必要に応じてセンタのサーバと前記信者の家族の情報端末との間をインターネット回線によって相互間を接続し、例えば、お寺からの働きかけに対して、お年寄りが情報端末の操作を行ないあるいはコンテンツ情報を要求しあるいは完了ボタンを押した場合などに、前記お年寄りの活動情報としてお寺の情報端末あるいはセンタのサーバに記録し、前記お年寄りの家族が適宜取得できるようにすることによって、前記がんばるお年寄りを温かく見守り励ますサービスを提供する。【００１６】  ここで、独居老人などの頑張るお年寄りとは、一般に信仰心が厚く、仏壇あるいは祭壇を備えて先祖をお祭りし、寺社との社会的なつながりを強く保っており、一方、お寺の住職あるいは神社の神官などの聖職者は社会的な信用が高く、お年寄りが希望する場合、お年寄りの個人的な情報に関与することが許されるものと考えられる。独居老人などの頑張るお年寄りを見守り励まし日々の生活を支援するためには、前記の社会的なつながりと寺社の社会的な信用あるいは信頼関係を活用することが大切であり、社会的にも経済的にも貢献できる度合いが大きく効果も大きい。【００１７】  また、お年寄りが取り扱う情報端末としてワンクリック式あるいはタッチパネル式の操作表示パネルを用いてメニュ表示からワンクリックあるいはワンタッチで選択したコンテンツ情報をもとに外部に要求を発信しあるいは必要情報を受信することが容易にできるようにすることで、抵抗感が少なくなり、日々の生活の中でタッチパネルを操作する機会が多くなり、お年寄りのプライバシに十分に配慮した上で活動情報を取得するのに最適な手段を提供できる。【００１８】  また、ＩＰおよび／あるいはＴＶ電話機でお寺の住職あるいは神社の神官あるいは宗教団体の聖職者等と会話することは心の癒しとなり無理なくお年寄りに受け入れられることから、お年寄りの個人個人の活動情報を取得するのに有効である。  また、従来のように電気ポットあるいはテレビあるいはトイレ等の利用状態を検知するために別に設けた生活センサとの組合せにより活動情報を取得するのも有効である。
【発明の効果】
【００１９】  従来の独居老人などの頑張るお年寄りの生活動性を把握する方法には電気ポットあるいはテレビあるいはトイレ等の利用状態をセンサなどで検知し、インターネットを通じて関係者に知らせるなどの方法があるが、これらはいずれも独居老人などの頑張るお年寄りとの関係が無機質な方法であり、お年寄りの人格を損なう恐れがあった。【００２０】  寺社あるいは宗教団体が介在することで、お祈り等の生活習慣を通じて心の通ったネットワークが構築でき、ワンクリックあるいはワンタッチ式のパネルによる簡単な操作で要求の発信あるいは情報の入手を行なうなど方法でお年寄りの活動情報が取得でき、あるいは使い慣れたＩＰおよび／あるいはＴＶ電話機を操作することでお年寄りの活動情報を取得でき、あるいはお年寄りの家族からの問い合わせに答えることで、お年寄りとその家族の幸せのみでなく寺社あるいは宗教団体の活性化にも役立つことから、これらのサービスを通じて新しいビジネスが起業できしかも社会に貢献できるなどの効果が獲られる。
【発明を実施するための最良の形態】
【００２１】  この発明に係わるネットワークは、図１に示すように、複数の信者宅内あるいは複数の信者宅の仏壇あるいは祭壇内あるいはあるいは仏壇あるいは祭壇の前面あるいは仏壇あるいは祭壇の近辺あるいはこれらを組み合わせた場所に設置されたワンクリックあるいはワンタッチ式の操作表示パネルを含む情報端末１３ａ、１３ｂと、寺社内に設置された情報端末１２ａ、１２ｂおよび当該信者の家族あるいは福祉関係機関内に設置された情報端末１４と、必要に応じてセンタ１５のサーバ２６ａを含めインターネット網を通じて接続されている。【００２２】  図２では、お年寄りの活動情報を取得するための基本となる情報の例と流通の経路の例が示されており、寺社の住職あるいは神社の神官等から信者に働きかけた場合の応答状況を把握してセンタのサーバあるいは寺社の情報端末に活動情報として記憶し、あるいはお年寄りがワンクリックあるいはワンタッチ式の操作表示パネルを操作したときの状況を把握してセンタのサーバあるいは寺社あるいは宗教団体の情報端末に活動情報として記憶することで、お年寄りのプライバシを損なうことなく、心の通った対応策が採れるメリットがある。【００２３】（実施の形態１）  図１は、本発明のネットワークの構成を示す図である。図１において、１２ａ、１２ｂは寺社あるいは宗教団体など、１３ａ、１３ｂは信者宅の仏壇あるいは祭壇、１４は家族あるいは福祉関連機関、１５はセンタ装置、２１ａ〜２１ｄ、２２ａ〜２２ｄは寺社１２ａ、１２ｂに設置された情報端末、２３ａ〜２３ｅ、２４ａ〜２４ｅは信者宅仏壇１３ａ、１３ｂに設置された情報家電および／あるいは情報端末、２５は家族あるいは福祉関連機関１４に設置された情報端末、２６ａ、２６ｂはセンタ装置を構成するサーバ、３１はインターネット網、４１ａ〜４１ｅは通信回線である。【００２４】  寺社１２ａ、１２ｂに設置された情報端末２１ａ〜２１ｄ、２２ａ〜２２ｄ、信者宅の仏壇１３ａ、１３ｂに設置された情報家電および／あるいは情報端末２３ａ〜２３ｅ、２４ａ〜２４ｅおよび家族あるいは福祉関連機関１４に設置された情報端末２５はインターネット網３１に通信回線４１ａ〜４１ｅを通じて接続されている。【００２５】  お年寄りが仏壇の前に座りワンクリックあるいはワンタッチ式の操作表示パネル２３ｄあるいは２４ｄのＯＮボタンを押すと、あらかじめダウンロードされあるいは新たにダウンロードされたメニュが表示され、メニュボタンを選択して押すとメニュに従って必要な処理が組込パソコン２３ｂあるいは２４ｂにより行われ、当該処理の課程で、センタ装置１５内のサーバ２６ａあるいは寺社あるいは宗教団体１２ａあるいは１２ｂ内のパソコン２１ｃあるいは２２ｃへ操作表示パネル２２ｂ、２４ｂ等の操作に基づく活動情報が発信される。【００２６】  信者宅１３ａ、１３ｂから送られた活動情報はセンタ装置１５内の活動情報管理サーバ２６ｂあるいは寺社１２ａ、１２ｂ内の活動情報監視サーバ２１ｃ、２２ｃに記憶され管理あるいは監視され、当該信者の活動が少ない場合あるいは急激に減少した場合等には警報を発し、あるいは家族１４からの問い合わせがある場合には当該個別のお年寄りの活動状況を報告することができる。【００２７】  信者宅の仏壇１３ａ、１３ｂに情報家電および／あるいは情報端末２３ａ〜２３ｅ、２３ａ〜２３ｅを設置するのは、特に独居老人が過去の生活習慣から先祖を敬い仏壇を大切にしていることから、独居老人の日常の活動状態を把握するのに適していることによる。従って、信者宅の仏壇１３ａ、１３ｂと縁の深い寺社１２ａ、１２ｂとのネットワークを組むことによって、寺社１２ａ、１２ｂが有する社会的な信用あるいは当該信者との信頼関係を通して心のこもった生活支援が可能となる。【００２８】  ここで、当該信者宅の仏壇あるいは祭壇１３ａ、１３ｂに設置される情報家電および／あるいは情報端末２３ａ〜２３ｅ、２４ａ〜２４ｅは一例を示したものであり、ＩＰ電話機あるいはテレビ電話機あるいはセットトップボックスあるいはパソコンあるいはセンサあるいは無線親局あるいは電子チューナあるいはテレビ等インターネット網に直接あるいは間接的に接続できる各種の装置あるいは手段から取捨選択して設置することができる。【００２９】  また、当該操作表示パネル２２ｄあるいは２４ｄにはワンクリックあるいはワンタッチ式のものを用いることで高齢者にも容易に操作でき、さらに、操作表示パネルを各種の情報家電および／あるいは情報端末と共通化あるいは一体化することで、手による操作の他に音声あるいは画像を通してメニュを選択し、コンテンツ情報を取得し、要求を発信し、関係する情報を入手しあるいは交換できるメリットが生まれる。【００３０】  また、近年課題となっている個人情報の保護あるいはプライバシ保護に関しては、寺社あるいは宗教団体などの社会的な信頼性と各個人との信頼関係により個人情報あるいはプライバシへの相当程度までの介入は許容されるものと考えられることから、更に、ワンクリックあるいはワンタッチ式の操作表示パネルを操作したことのみから活動情報を取得し、あるいはメニュの項目のみ等に限定して活動情報を取得し、コンテンツ情報の内容にまでは介入しないことができることから十分なプライバシ保護が可能となる。【００３１】  また、独居老人が関心をもつコンテンツ情報をダウンロードして更新しあるいは追加することで、毎日の生活の中で、電気ポットあるいはテレビあるいはトイレ等の利用以上にメニュの選択とコンテンツ情報の活用が積極的に行われるので活動情報を取得するのには最適な方法であり、従来の生活センサを設置するよりもコストを抑え安価にすることが十分に可能である。  また、給食センタあるいは食材の宅配業者からダウンロードされた給食メニュあるいは食材から好きなメニュあるいは食材を選ぶことは、朝昼晩の３食が必ずつきものであるので、一日を通しての活動情報を取得するのに有効である。【００３２】  また、前記各種センサ２３ｃ、２４ｃが複数のアンテナあるいはトランスデユーサを切り替えて超音波信号あるいは高周波信号あるいは光信号を発信しあるいは受信し、当該発信しあるいは受信する信号の搬送波信号あるいは副搬送波信号あるいは変調信号あるいは拡散符号の少なくとも位相差を検出する機能を有する場合、当該信者あるいは介護対象者の居る場所を高精度で検知することができる。【００３３】  また、前記各種センサ２３ｃ、２４ｃが自動式の水道��蛇口あるいは自動式のトイレあるいは電子制御式の便座あるいは電子制御式の錠前あるいはドアあるいは電子制御式の窓あるいはカーテンあるいは電子制御式の風呂あるいは電動式のベッドあるいは電動式あるいは電子制御式の家庭電化製品あるいはこれらの組合せの内部に組み込まれあるいは一体化されあるいは附加されて操作状態を検知する手段を有し、当該検知手段によって検知した活動情報を無線信号によって無線親局に伝送しインターネット網に発信することができる。【００３４】  また、前記各種センサ２３ｃ、２４ｃがワットメータあるいはガスメータあるいは水道メータあるいはこれらの組合せの内部に組み込まれあるいは一体化されあるいは附加されており電気あるいはガスあるいは水道の使用量を検知した結果が無線信号により無線親局に伝送されインターネット網に発信することができる。  また、前記ＩＰ電話機あるいはテレビ電話機あるいはセットトップボックス形のテレビ電話機あるいは電子チューナあるいは無線親局あるいはセンサあるいはこれらの組合せが緊急発信手段を有し、緊急発信時には当該インターネット網を経由して緊急信号を発信することができる。【００３５】（実施の形態２）  図２は、本発明のネットワークで流通する情報の種類と流通の経路を示す図である。図２において、２００は寺社が取扱う情報、２０１は朝のお勤め、説教、講話など寺社により発信される音声あるいは画像等の情報、２０２はＩＰ電話端末あるいはＴＶ電話端末による送受信される情報、２０３はパソコン２０４により受信される活動情報、２０４はパソコンにより取扱われる情報、３００はインターネット網で接続される情報、４００は信者宅の情報、４０１は朝のお勤め、お祈り、受講などの信者宅で受信される音声あるいは画像等の情報、４０２はＩＰ電話端末あるいはＴＶ電話端末で送受信される情報、４０３はタッチパネルおよび／あるいは生活センサなどから発信される情報、４０４はパソコンで取り扱われる情報、６００はセンタ装置により取り扱われる情報、６０１はサーバでとり扱われる情報、６０２は活動情報、６０３はコンテンツ情報である。【００３６】  寺社情報２００の中で、お寺の住職による朝の読経、説教あるいは講話などの音声あるいは画像等の情報がＩＰおよび／あるいはＴＶ電話端末の情報２０２として１対１あるいは１対Ｎの配信サービスにより送出され、信者宅の情報４００として信者の希望によってメニュから選択し音声あるいは画像等の情報４０１として受信することができる。一方、タッチパネルの操作４０３は当該信者の活動情報としてパソコンにより取り扱われる情報４０４に含めインターネット網の情報３００として発信され、センタの情報６００内のサーバ内の情報６０１の一部として活動情報６０２が記憶される。【００３７】  センタの情報６００内の活動情報６０２はその都度あるいは定期的に処理されて、個人毎の活動状況が分析され個人の活動情報として整理され記憶され、寺社の情報２００内の活動情報２０３としてダウンロードされる。  寺社２００の中の活動情報２０３を検索することで独居老人の生活状況を監視し問題ありと判断される時には音声によって確認をとりあるいは当該信者の家族あるいは福祉関連機関に発��し必要な生活支援が可能となる。【００３８】  ここで、上記に示した情報の種類および流通の経路は一例を示したものであり、取捨選択しあるいは追加することによって多種の方法が準備できる。  また、信者宅の情報４００の中には、図１に示す各種センサから取得する情報が含まれ、従来のように電気コンロあるいは電気ポットあるいはテレビあるいはトイレ等の電気製品あるいは家電製品等の起動・停止を検知するために別に設けた生活センサにより検知したものを含めることができる。【００３９】（実施の形態３）  図３は、本発明のネットワークの信者宅で用いる情報端末の配置を示す図である。図３において、７０１はお仏壇あるいは祭壇、７０２はタッチパネルを含む操作表示装置、７０３はＴＶ電話機、７０４は信者である。  タッチパネルを含む操作表示装置７０２は、お仏壇あるいは祭壇７０１の適当な位置に埋め込まれあるいは当該お仏壇あるいは祭壇７０１の前方の位置に置かれており、お仏壇あるいは祭壇７０１と相対する格好でＴＶ電話機７０３のカメラ部分が設置され、お仏壇あるいは祭壇７０１とＴＶ電話機７０３のカメラ部分の中間地点に信者７０４が座している。【００４０】  かかる配置において、信者７０４がメニュに従ってコンテンツ情報を取得しあるいは要求を出すことができ、タッチパネルを含む操作表示装置７０２を操作する場合には信者７０４はお仏壇あるいは祭壇７０１に向いて座しており、ＴＶ電話機により朝のお勤め、説教、講話など寺社により発信される音声あるいは画像等の情報を拝聴しあるいはお寺の住職と対話する等のときにはＴＶ電話機７０３のカメラ部分に相対して座すことで、ＴＶ電話機７０３を使用時に周辺の生活用品がＴＶ電話機７０３のカメラ部分の視野に入らないメリットがある。【００４１】  ここで、ＴＶ電話機７０３のカメラ部分がお仏壇あるいは祭壇７０１と相対する場合について述べたが、当該ＴＶ電話機７０３のカメラ部分をお仏壇あるいは祭壇７０１の上部から下方に向けて設置し、あるいは横方向あるいは他の方向で生活用品が視野に入らない方向に設置しても同様な効果が得られる。  また、必要に応じてＴＶ電話機７０３と操作表示パネル７０２を一体化しあるいは携帯可能な端末として準備することで利用者の利便性を向上することができる。【００４２】（実施の形態４）  図４は、本発明のネットワークで取り扱われる活動情報の処理プログラムを示す図である。図４において、８０１は信者宅のタッチパネルを含む操作表示装置によるメニュの選択、８０２はコンテンツ情報をダウンロードする要求か否かの判定、８０３はコンテンツ情報をダウンロードする要求の発信、８０４はコンテンツ情報のダウンロード、８０５は画面への表示、８０６はＥＮＤ選択か否かの判定、８０７はＥＮＤ、８０８はインターネットへの接続、８０９は寺社への接続か否かの判定、８１０は活動情報の検知、８１１は個人別の活動情報の集計と記録、８１２はＥＮＤである。【００４３】  信者宅のタッチパネルを含む操作表示装置においてメニュを選択８０１をすると、当該選択８０１がコンテンツ情報をダウンロードする要求であるか否かの判定８０２を行いコンテンツ情報をダウンロードする要求と判定されると、インターネ��ト網経由でコンテンツ情報をダウンロードする要求の発信８０３がセンタサーバに向けて送られ、センタサーバでは活動情報の検知８１０を行うとともにコンテンツ情報のダウンロード８０４を行い、信者宅のタッチパネルを含む操作表示装置に画面表示８０５がされ、メニュの終了ボタンが押されるまで継続される。【００４４】  コンテンツ情報をダウンロードする要求か否かの判定８０２がコンテンツ情報以外の場合には、インターネット網に接続８０８が行われ、当該接続が寺社に対して行われたか否かの判定８０９が寺社への接続であればセンタサーバで活動情報の検知８１０が行われ、個人毎に活動情報が集計・記憶８１１され、処理が完了すればＥＮＤ８１２に移行して処理を終了する。【００４５】  ここで、活動情報の検知８１０をコンテンツ情報をダウンロードする要求８０３および寺社への接続８０９に限定したが、その他のメニュ選択８０１あるいは別に設置した生活センサからの情報についても活動情報の検知８０９として個人別に活動情報を集計・記憶８１１とすることができる。【００４６】  以上の説明では、寺社内に情報端末を設置するものとしたが、その他の宗教団体など独居老人などの頑張るお年寄りに心の安らぎを与えられる関係機関に情報端末を設置しても同様な効果が得られる。  また、寺社に限らず高齢者との信頼関係が保てる団体あるいは機関、あるいは社会的に認められ団体あるいは機関が実施しても同様な効果が得られることは言うまでもない。
【産業上の利用可能性】
【００４７】  本発明のネットワークでは、寺社あるいは宗教団体などを積極的に介護ビジネスに参入させることで独居老人などの頑張るお年寄りのプライバシを保護しながら安否を確認する以外に生活相談あるいは心のケアなどのサービスが可能となる。
【図面の簡単な説明】
【００４８】
【図１】本発明のネットワークの構成を示す図
【図２】本発明のネットワークで流通する情報の種類と流通の経路を示す図
【図３】本発明のネットワークの信者宅で用いる情報端末の配置を示す図
【図４】本発明のネットワークで扱われる活動情報の処理プログラムを示す図
【図５】従来の電子仏壇を含むネットワークの接続図
【符号の説明】
【００４９】１                                    電子仏壇２                                    大容量記憶装置３                                    公衆通信回線４                                    お寺５                                    給食サービスセンタ６                                    保険・福祉サービスセンタ７                                    家庭８                                    訪問看護センタ９                                    救急医療サービスセンタ１０                                  編集サービス業者１２ａ、１２ｂ                        寺社あるいは宗教団体の情報端末１３ａ、１３ｂ                        信者宅の情報端末１４                                  遠隔地の家族あるいはその他の機関あるいは団体の情報端末１５                                  センタ装置２１ａ、２２ａ、２３ａ、２４ａ        ＩＰおよび／あるいはＴＶ電話機２１ｂ、２２ｂ、２３ｂ、２４ｂ、２５  パソコン２１ｃ、２２ｃ                        活動情報監視サーバ２３ｃ、２４ｃ                        各種センサ２１ｄ、２２ｄ、２３ｄ、２４ｄ        ワンクリックあるいはワンタッチ式の操作表示パネル２３ｅ、２４ｅ                        テレビ等情報家電２６ａ                                センタサーバ２６ｂ                                活動情報管理サーバ３１                                  インターネット網４１ａ、４１ｂ、４１ｃ、４１ｄ        高速通信回線
【００５０】２００                                寺社が取扱う情報２０１                                朝のお勤め、説教、講話などの音声あるいは画像の情報２０２                                ＩＰおよび／あるいはＴＶ電話機が送受信する情報２０３                                個人別の活動情報２０４                                パソコンが送受信する情報３００                                インターネット網が接続あるいは交換する情報４００                                信者宅の情報４０１                                朝のお勤め、お祈り、受講などのセンサ情報、音声あるいは画像の情報４０２                                ＩＰ電話端末あるいはＴＶ電話端末が送受信する情報４０３                                ワンクリックあるいはワンタッチ式の操作表示パネルの操作情報あるいは各種センサの情報４０４                                パソコンが送受信する情報６００                                センタで取り扱う情報６０１                                センタサーバにより取扱われる情報６０２                                個人別活動情報６０３                                コンテンツ情報７０１                                仏壇あるいは祭壇７０２                                テレビおよび／あるいは情報端末の操作表示パネル７０３                                ＴＶ電話機のカメラ部分７０４                                信者８０１                                メニュ選択８０２                                コンテンツ情報の要求であるか否かの判定８０３                                コンテンツ情報の要求８０４                                コンテンツ情報のダウンロード８０５                                画面表示８０６                                ＥＮＤ選択であるか否かの判定８０７                                ＥＮＤ８０８                                インターネット網への接続８０９                                お寺あるいは宗教団体への接続であるか否かの判定８１０                                活動情報の検知８１１                                個人別活動情報の集計・記録８１２                                ＥＮＤ